(57)【要約】【課題】ペレットストーブの排熱を床下暖房用の熱源として有効に活用する、床下暖房システムハウスを提供する。【解決手段】室内１２に設置するペレットストーブ１３と、該ペレットストーブ１３の排熱を床下１９に導入してから室外に排出する排気管１４ａ、１４ｂと、該排気管１４ａ、１４ｂに設けられて前記排熱を床下１９に放熱する放熱ボックス１５と、該放熱ボックス１５から放熱される熱エネルギーを蓄熱するコンクリートベタ基礎１６とから構成され、前記放熱ボックス１５の前記床下１９への放熱と、前記コンクリートベタ基礎１６の蓄熱とを同時に行うように構成した床下暖房システムハウス１１である。【選択図】      図１
2009250544.tif 000002
【特許請求の範囲】
【請求項１】
室内に設置するペレットストーブと、
該ペレットストーブの排熱を床下に導入してから室外に排出する排気管と、
該排気管の途中に設けられて前記排熱を床下に放熱する放熱ボックスと、
該放熱ボックスから放熱される熱エネルギーを蓄熱するコンクリートベタ基礎と
から少なくとも構成され、
前記放熱ボックスの前記床下への放熱と、前記コンクリートベタ基礎の蓄熱とを同時に行うように構成したこと
を特徴とする床下暖房システムハウス。
【請求項２】
前記ペレットストーブは間仕切壁の近傍に設置し、
前記排気管は前記間仕切壁を貫通してから前記床下に導入すること
を特徴とする請求項１に記載の床下暖房システムハウス。
【請求項３】
前記間仕切壁の内部は、所定幅の隙間を設けて空気の流路が形成され、
前記室内の天井は、梁の下部から所定幅の隙間を設けて空気の流路が形成され、
前記間仕切壁の隙間と前記天井の隙間とが連通すること
を特徴とする請求項２に記載の床下暖房システムハウス。
【請求項４】
前記放熱ボックスの内部は複数枚の邪魔板を設けると共に、外部は複数枚のフィンを設けること
を特徴とする請求項１に記載の床下暖房システムハウス。
【請求項５】
前記コンクリートベタ基礎において、前記放熱ボックス及び前記排気管の近傍には、麦飯石シートを敷くこと
を特徴とする請求項１に記載の床下暖房システムハウス。
【請求項６】
前記排気管の端部において、前記室外には排気用ファンを設置すること
を特徴とする請求項１に記載の床下暖房システムハウス。
【発明の詳細な説明】
【技術分野】
【０００１】
本発明は、ペレットストーブの排熱を床下暖房用の熱源として有効に活用する、床下暖房システムハウスに関するものである。
【背景技術】
【０００２】
従来の床下暖房装置としては、図６に示す構成のものが知られている。この床下暖房装置は、建物１の屋根２及び壁３に設けられる中空の集熱部４と、この集熱部４から床下５まで延設されるダクト６と、このダクト６の下部に設けられる送風ファン７と、床下５に打設される蓄熱用のコンクリート８とから構成される（特許文献１参照）。
【０００３】
このような構成の床下暖房装置は、屋根２及び壁３に照射される太陽９の熱で集熱部４の空気が加熱され、その空気がダクト６を通って床下５に送られて、コンクリート８に蓄熱される仕組みである。コンクリート８に蓄熱された熱エネルギーは、自然放熱により建物１を床下５から温める。
【特許文献１】特開平３−１４８５２６号公報
【発明の開示】
【発明が解決しようとする課題】
【０００４】
この従来例の床下暖房装置においては、太陽の熱のみを利用してコンクリートに蓄熱する構造なので、熱エネルギーを充分に蓄えることができず、暖房効果が低いという欠点を有している。つまり、外気温が低下する冬季や夜間などには、ヒーターなど別途の加熱装置が必要であり不経済である。
【０００５】
従って、従来例における床下暖房装置においては、熱エネルギーを充分に蓄えて暖房効果を向上させることに解決しなければならない課題を有している。
【課題を解決するための手段】
【０００６】
前記従来例の課題を解決する具体的手段として本発明は、室内に設置するペレットストーブと、該ペレットストーブの排熱を床下に導入してから室外に排出する排気管と、該排気管の途中に設けられて前記排熱を床下に放熱する放熱ボックスと、該放熱ボックスから放熱される熱エネルギーを蓄熱するコンクリートベタ基礎とから少なくとも構成され、前記放熱ボックスの前記床下への放熱と、前記コンクリートベタ基礎の蓄熱とを同時に行うように構成したことを特徴とする床下暖房システムハウスを提供するものである。
【０００７】
また、前記ペレットストーブは間仕切壁の近傍に設置し、前記排気管は前記間仕切壁を貫通してから前記床下に導入すること、；
前記間仕切壁の内部は、所定幅の隙間を設けて空気の流路が形成され、前記室内の天井は、梁の下部から所定幅の隙間を設けて空気の流路が形成され、前記間仕切壁の隙間と前記天井の隙間とが連通すること、；
前記放熱ボックスの内部は複数枚の邪魔板を設けると共に、外部は複数枚のフィンを設けること、；
前記コンクリートベタ基礎において、前記放熱ボックス及び前記排気管の近傍には、麦飯石シートを敷くこと、；
前記排気管の端部において、前記室外には排気用ファンを設置すること、；
を含むものである。
【発明の効果】
【０００８】
本発明に係る床下暖房システムハウスは、室内に設置するペレットストーブと、該ペレットストーブの排熱を床下に導入してから室外に排出する排気管と、該排気管の途中に設けられて前記排熱を床下に放熱する放熱ボックスと、該放熱ボックスから放熱される熱エネルギーを蓄熱するコンクリートベタ基礎とから少なくとも構成され、前記放熱ボックスの前記床下への放熱と、前記コンクリートベタ基礎の蓄熱とを同時に行うように構成したことによって、従来は外に棄てていたペレットストーブの高温の排熱を床下暖房用の熱源として有効に活用できることとなる。
そして、ペレットストーブの稼働で室内が暖かくなるのは勿論のこと、床下への放熱とコンクリートベタ基礎への蓄熱とを同時に行うので、床下からも熱が伝わって建物の隅々まで充分な暖房効果が得られる。また、ペレットストーブを消した後も、コンクリートベタ基礎からの放熱が持続するので、長時間に渡って暖房効果を維持できるという種々の優れた効果を奏する。
【０００９】
また、ペレットストーブは間仕切壁の近傍に設置し、前記排気管は前記間仕切壁を貫通してから前記床下に導入することによって、ペレットストーブが設置された室内が暖かくなるのは勿論のこと、間仕切壁の後ろ側の室内も排気管からの放熱作用で暖かくなるという優れた効果を奏する。
さらには、間仕切壁の後ろ側の室内において、その下部の床下に放熱ボックス及び排気管を設置すれば、その床下からも熱が伝わるので、ペレットストーブが設置されていない室内でも暖房効果が良好になる。
【００１０】
そして、間仕切壁の内部は、所定幅の隙間を設けて空気の流路が形成され、前記室内の天井は、梁の下部から所定幅の隙間を設けて空気の流路が形成され、前記間仕切壁の隙間と前記天井の隙間とが連通することによって、床下から伝わる熱が間仕切壁の隙間を通って上昇し、さらに天井の隙間を通って２階の各室内に拡散するので、２階の暖房効果が良好になるという優れた効果を奏する。
【００１１】
更に、放熱ボックスの内部は複数枚の邪魔板を設けると共に、外部は複数枚のフィンを設けることによって、放熱ボックスの内部を通る高温の排熱が邪魔板に触れながら迂回するので、排熱の滞留時間が長くなり放熱効果が向上する。
また、フィンの存在によって空気に触れる表面積が多くなるので、熱伝導率が高くなり放熱効果が向上するという優れた効果を奏する。
【００１２】
また、コンクリートベタ基礎において、前記放熱ボックス及び前記排気管の近傍には、麦飯石シートを敷くことによって、この麦飯石シートは遠赤外線を放射する性質があるので、放熱ボックス及び排気管からの放熱によって大量の遠赤外線が放射される。従って、床下から伝わる熱と共に遠赤外線が室内に伝わって、人の体を芯から暖めることとなるという優れた効果を奏する。
【００１３】
そして、排気管の端部において、前記室外には排気用ファンを設置することによって、ペレットストーブの排気をスムーズに外に排出する。また、排気ファンは室外に設置するので床下が常に負圧状態となる。従って、万一床下で排気漏れがあっても、室内に拡散しないで外に放出されるという優れた効果を奏する。
【発明を実施するための最良の形態】
【００１４】
次に、本発明の実施の形態について図面を参照しながら説明する。まず、図１及び図２において、符号１１は床下暖房システムハウスを示し、この床下暖房システムハウス１１は、室内１２に設置するペレットストーブ１３と、このペレットストーブ１３の高温の排熱を床下１９に導入してから室外に排出する排気管１４ａ、１４ｂと、この排気管１４ａ、１４ｂに設けられて排熱を床下１９に放熱する放熱ボックス１５と、この放熱ボックス１５から放熱される熱エネルギーを蓄熱するコンクリートベタ基礎１６とから構成される。
【００１５】
ペレットストーブ１３は、木質のペレット状燃料を燃焼するストーブであり、灰や煙がほとんど出ないという利点がある。間伐材等の利用を促進し、また、化石燃料を用いないことから地球温暖化対策に貢献する等の理由で、近年人気の高いストーブである。
【００１６】
ペレットストーブ１３の前部には、耐熱性の小窓１３ａが設けられており、また、後部には、排気管１４ａの接続口１３ｂが設けられている。接続口１３ｂからは約２００℃程度の高温の排熱が排出される。このペレットストーブ１３は、間仕切壁１７の近傍に設置するのが望ましい。
【００１７】
間仕切壁１７は、室内１２と室内２０とを間仕切る壁であり、その内部は所定幅の隙間１７ａを設けて空気の流路が形成されている。一方、天井３２は、梁３３の下部３３ａから所定幅の隙間３２ａを設けて空気の流路が形成れており、この隙間３２ａと間仕切壁１７の隙間１７ａとが連通して構成される。従って、床下１９から伝わる熱が間仕切壁１７の隙間１７ａを通って上昇し、さらに天井３２の隙間３２ａを通って２階の各室内に拡散するので、２階の暖房効果が良好になる。なお、図１中符号３４は、床３５に設けられたガラリを示し、ここからも暖気の流通を図っている。
【００１８】
排気管１４ａは、一端が接続口１３ｂに接続して、水平方向に延出している。そして、排気管１４ａは間仕切壁１７を貫通してから、略９０度折曲して下方向に下降している。さらに、排気管１４ａは床１８を貫通して、他端が床下１９の放熱ボックス１５に接続している。
【００１９】
このように、排気管１４ａが間仕切壁１７を貫通してから床下１９に導入されることにより、間仕切壁１７の後ろ側の室内２０も、ペレットストーブ１３が設置されていないにも拘わらず、排気管１４ａからの放熱作用で暖かくなる。
【００２０】
室内２０における排気管１４ａは、飾り棚２１で覆われている。この飾り棚２１には、ガラリ２１ａが設けられており、ここから暖気の流通を図っている。
【００２１】
放熱ボックス１５は、厚さ約３mmの鉄板を用いて、横長の箱形状に形成される。大きさの一例を示すと、幅が約７００mm、長さが約１６００mm、高さが約２００mmである。放熱ボックス１５の一端側の上部には、図３に示すように、排気管１４ａの接続口１５ａ設けられており、他端には排気管１４ｂの接続口１５ｂが設けられている。また、側面には、掃除用の掃除口１５ｃが複数箇所に設けられている。
【００２２】
放熱ボックス１５の内部は、図４に示すように、両側の側面に邪魔板２２、２２…が交互に設けられている。このように構成することにより、放熱ボックス１５の内部を通る高温の排熱が邪魔板２２に触れながら迂回するので（図４の矢印参照）、排熱の滞留時間が長くなり放熱効果が向上する。
【００２３】
また、放熱ボックス１５の上部には、図５に示すように、複数枚のフィン２３、２３…が設けられている。このフィン２３の存在により、空気に触れる表面積が多くなるので、熱伝導率が高くなり放熱効果が向上する。
【００２４】
このように構成される放熱ボックス１５は、主に下面からの放熱でコンクリートベタ基礎１６に蓄熱がなされると共に、下面以外の部位から床下１９へ放熱がなされて、蓄熱と放熱とが同時になされることとなる。
【００２５】
放熱ボックス１５の近傍には、ファン２４が設けられている。このファン２４を作動させることにより、床下１９の暖気を撹拌して均等にすると共に、間仕切壁１７の下端部から隙間１７ａに暖気を入れる役目を果たすこととなる。
【００２６】
放熱ボックス１５の接続口１５ｂには、排気管１４ｂの一端が接続している。排気管１４ｂは、折曲部２５、２５を介して延設され、排気管１４ｂの他端部１４ｃが立上り部２６を貫通する。
【００２７】
他端部１４ｃにおける室外には、シロッコファン（排気ファン）２７が設置されており、ペレットストーブ１３の排気をスムーズに外に排出する。シロッコファン２７は室外に設けられるので、床下１９が常に負圧状態となり、万一床下１９で排気漏れがあっても、室内１２に拡散しないで外に排出される。
【００２８】
以上のように、放熱ボックス１５及び排気管１４ｂは、室内２０の下部の床下１９に設置されている。従って、室内２０はペレットストーブ１３が設置されていないにも拘わらず、床下１９から熱が伝わるので、前述の排気管１４ａからの放熱作用と相俟って、暖房効果が良好である。なお、図１及び図２中符号３６は、床１８に設けられたガラリを示し、ここからも暖気の流通を図っている。
【００２９】
コンクリートベタ基礎１６は、床下１９の全面に亘って打設されており、その厚さが約１５０mmであって、内部に鉄筋２８が配筋されている。このコンクリートベタ基礎１６は、放熱ボックス１５の主に下面から放熱される熱エネルギーを蓄熱する蓄熱部の役目を果たす。
【００３０】
コンクリートベタ基礎１６において、放熱ボックス１５及び排気管１４ｂの近傍には、麦飯石シート２９が敷かれている。この麦飯石シート２９は遠赤外線を放射する性質があるので、放熱ボックス１５及び排気管１４ｂからの放熱によって大量の遠赤外線が放射される。従って、床下１９から伝わる熱と共に遠赤外線が建物全体に伝わって人の体を芯から暖める効果がある。
【００３１】
コンクリートベタ基礎１６の下部には、断熱材３０が約１００mmの厚さに敷かれており、その下部には防湿シートが敷かれており、さらにその下部には、砕石３１が約１００mmの厚さに敷かれている。
【００３２】
基礎の立上り部２６は、シロアリ対策のために原則的には内断熱である。また、基礎と土台とは通気をしないので、基礎パッキンや床下換気口は設置されない。
【００３３】
以上のように構成される床下暖房システムハウス１１は、木造在来軸組工法で高気密高断熱に施工されるものである。そして、ペレットストーブ１３の高温の排熱を床下１９に導入するように構成したので、従来は外に棄てていたペレットストーブ１３の排熱を床下暖房用の熱源として有効に活用できる。
【００３４】
そして、ペレットストーブ１１の稼働で室内１２が暖かくなるのは勿論のこと、放熱ボックス１５の床下１９への放熱と、コンクリートベタ基礎１６の蓄熱とを同時に行うので、床下１９からも熱が伝わって建物の隅々まで充分な暖房効果が得られる。また、ペレットストーブ１１を消した後も、コンクリートベタ基礎１６からの放熱が持続するので、長時間に渡って暖房効果を維持できるのである。
【００３５】
更には、床下１９から伝わる熱が間仕切壁１７の隙間１７ａを通って上昇し、さらに天井３２の隙間３２ａを通って２階の各室内に拡散するので、１階だけでなく２階の暖房効果も良好である。
【図面の簡単な説明】
【００３６】
【図１】本発明に係る床下暖房システムハウス１１の断面を示す説明図である。
【図２】本発明に係る床下暖房システムハウス１１の要部を示す説明図である。
【図３】放熱ボックス１５の側面図である。
【図４】放熱ボックス１５の平面を破断して内部を示した断面図である。
【図５】放熱ボックス１５の斜視図である。
【図６】従来例に係る床下暖房装置を説明する、建物１の縦断面図である。
【符号の説明】
【００３７】
１    建物
２    屋根
３    壁
４    集熱部
５    床下
６    ダクト
７    送風ファン
８    コンクリート
９    太陽
１１  床下暖房システムハウス
１２  室内
１３  ペレットストーブ
１３ａ小窓
１３ｂ接続口
１４ａ、１４ｂ排気管
１４ｃ他端部
１５  放熱ボックス
１５ａ、１５ｂ接続口
１５ｃ掃除口
１６  コンクリートベタ基礎
１７  間仕切壁
１７ａ隙間
１８  床
１９  床下
２０  室内
２１  飾り棚
２１ａガラリ
２２  邪魔板
２３  フィン
２４  ファン
２５  折曲部
２６  立上り部
２７  シロッコファン（排気ファン）
２８  鉄筋
２９  麦飯石シート
３０  断熱材
３１  砕石
３２  天井
３２ａ隙間
３３  梁
３３ａ下部
３４  ガラリ
３５  床
３６  ガラリ
【図１】
2009250544.tif 000003
【図２】
2009250544.tif 000004
【図３】
2009250544.tif 000005
【図４】
2009250544.tif 000006
【図５】
2009250544.tif 000007
【図６】
2009250544.tif 000008